(57)【要約】【課題】  手摺支柱が不要となるために、斬新なデザインとなり、また、全体的に均一に外力に抗する構造となる手摺の取付構造及び取付工法を提供する。【解決手段】  組立て状態でパラペットの上に据え付けられる手摺体が、パラペットに被着される下部笠木と、手摺本体としての上部笠木が被着される手摺目板と、手摺目板と下部笠木との間に挟んで配列される中空の縦部材とからなるとともに、縦部材の全部または等間隔おきの幾本かについて中央部に中空の芯材が挿入保持され、パラペットの上には、その芯材に挿入される雄ねじの支軸ボルトがアンカープレートを介して立設され、上記芯材中をこの支軸ボルトを通し、上記手摺目板の中央から突出したこの支軸ボルトの上端に頭部ナットを締め付けることにより、上記手摺体をアンカープレートに圧接させ固定させてある。【選択図】    図１
2006214182.tif 000002
【特許請求の範囲】
【請求項１】
組立て状態でパラペットの上に据え付けられる手摺体が、パラペットに被着される下部笠木と、手摺本体としての上部笠木が被着される手摺目板と、手摺目板と下部笠木との間に挟んで配列される中空の縦部材とからなるとともに、縦部材の全部または等間隔おきの幾本かについて中央部に中空の芯材が挿入保持され、パラペットの上には、その芯材に挿入される雄ねじの支軸ボルトがアンカープレートを介して立設され、上記芯材中をこの支軸ボルトを通し、上記手摺目板の中央から突出したこの支軸ボルトの上端に頭部ナットを締め付けることにより、上記手摺体をアンカープレートに圧接させ固定させてなることを特徴とする手摺の取付構造。
【請求項２】
アンカープレートにはパラペットの長手方向に沿った蟻溝が中央部に設けられ、蟻溝に回転不能でスライド可能に内装された掛止ナットに上記支軸ボルトを螺入して締め付けて上記支軸ボルトを立設させてあることを特徴とする請求項１記載の手摺の取付構造。
【請求項３】
縦部材が幅広い板状の中空体であって、その中央の両内面に芯材を挟み得る突条を相対向して突設し、各縦部材の上下両端面に、支軸ボルトが貫通する小口シールを貼着してあることを特徴とする請求項１又は２記載の手摺の取付構造。
【請求項４】
組立て状態でパラペットの上に据え付けられる手摺体が、パラペットに被着される下部笠木と、手摺本体としての上部笠木が被着される手摺目板と、手摺目板と下部笠木との間に挟んで配列される中空の縦部材とからなるとともに、縦部材の全部または等間隔おきの幾本かについて中央部に中空の芯材を挿入して組み立てられ、パラペットの上には、その芯材に挿入される雄ねじの支軸ボルトがアンカープレートを介して立設され、その支軸ボルトを芯材中を通して手摺目板の中央から突出させその支軸ボルトの上端に頭部ナットを締め付けることにより、手摺体をアンカープレートに圧接させ固定したことを特徴とする手摺の取付工法。
【請求項５】
支軸ボルトの立設につき、アンカープレートにはパラペットの長手方向に沿った蟻溝が中央部に設けられ、蟻溝に回転不能でスライド可能に内装された掛止ナットに支軸ボルトを螺入して締め付けて立設させてあることを特徴とする請求項４記載の手摺の取付工法。
【請求項６】
縦部材が幅広い板状の中空体であって、その中央の両内面に芯材を挟み得る突条を相対向して突設し、各縦部材の上下両端面に、支軸ボルトが貫通する小口シールを貼着してあることを特徴とする請求項４又は５記載の手摺の取付工法。
【発明の詳細な説明】
【技術分野】
【０００１】
この発明は、コンクリートの建築物におけるバルコニーやテラス、ベランダ、屋上等におけるパラペットに設置されるアルミ等の押出形材からなる手摺の取付構造及び取付工法に関する。
【背景技術】
【０００２】
バルコニー等の縁にはコンクリートの床から起立するパラペットが設けられ、これに手摺が設置される。また、パラペットの上にはアルミ等の押出形材からなる笠木（この明細書では下部笠木という）が被着される場合と、被着されない場合とがある。
【０００３】
手摺の取付けについては、一般的に、既に組み立てられた手摺体を据え付けることによって行われ、手摺体は、支柱の上端間に手摺（この明細書では上部笠木という）が被着される手摺目板を、また下端部間に横桟をそれぞれ架設し、手摺目板と横桟との間に縦桟を格子状に配列し、あるいはパネルを嵌め込んだ組立構造であった。そして、パラペットに手摺支柱を挿入する支柱芯材ないしアンカーボルトを埋めて立設し、それに手摺支柱が固定される。しかし、支柱芯材等を正確に立設することは難しく、誤差のため作業に著しく支障を生じることがあった。
【０００４】
そこで、パラペットに下部笠木が被着されるときには、その下面に当たるベースプレートを用い、これを基板にしてビスで手摺支柱が下部笠木に固定されることが多い。この場合は、通常ベースプレートは何らかの手段によりパラペットに固定される。
【発明の開示】
【発明が解決しようとする課題】
【０００５】
上記のような従来の手摺の取付構造であると、手摺体がパラペットに対して固定される支持力となるのは、手摺支柱であるので、両端に手摺支柱を欠かせないというデザイン上の制約があり、また、縦桟等のその他の部材は、手摺支柱に支持される被支持体であったから、手摺支柱から遠くの箇所に加わる力には弱いという構造的な問題があった。
【０００６】
この発明は、上記のような実情に鑑みて、手摺支柱が不要となるために、斬新なデザインとなり、また、全体的に均一に外力に抗する構造となる手摺の取付構造及び取付工法を提供することを課題とした。
【課題を解決するための手段】
【０００７】
上記の課題を解決するために、この発明の手摺の取付構造は、組立て状態でパラペットの上に据え付けられる手摺体が、パラペットに被着される下部笠木と、手摺本体としての上部笠木が被着される手摺目板と、手摺目板と下部笠木との間に挟んで配列される中空の縦部材とからなるとともに、縦部材の全部または等間隔おきの幾本かについて中央部に中空の芯材が挿入保持され、パラペットの上には、その芯材に挿入される雄ねじの支軸ボルトがアンカープレートを介して立設され、上記芯材中をこの支軸ボルトを通し、上記手摺目板の中央から突出したこの支軸ボルトの上端に頭部ナットを締め付けることにより、上記手摺体をアンカープレートに圧接させ固定させてなることを特徴とする。
【０００８】
また、アンカープレートにはパラペットの長手方向に沿った蟻溝が中央部に設けられ、蟻溝に回転不能でスライド可能に内装された掛止ナットに上記支軸ボルトを螺入して締め付けて上記支軸ボルトを立設させてある。
【０００９】
手摺の取付構造を上記のように構成したから、アンカープレートの蟻溝に沿って掛止ナットの位置を移動して支軸ボルトの位置を調整できるので、支持ボルトで支持される縦部材が多数本であっても確実にその中の芯材に支軸ボルトを通すことができる。また、通した支軸ボルトの上端に頭部ナットを締めつけると、それが主に芯材を介して下部笠木をアンカープレートに強力に押しつけることができ、そのため、強力な締め付けにより手摺体を安定して固定できる。また、手摺体が手摺目板と下部笠木との間を封じるように列設される縦部材の全部または等間隔の幾本に支軸ボルトを通すため、両端に手摺支柱は不要であり、また、横桟も不要である。
【００１０】
また、この発明の手摺の取付工法は、組立て状態でパラペットの上に据え付けられる手摺体が、パラペットに被着される下部笠木と、手摺本体としての上部笠木が被着される手摺目板と、手摺目板と下部笠木との間に挟んで配列される中空の縦部材とからなるとともに、縦部材の全部または等間隔おきの幾本かについて中央部に中空の芯材を挿入して組み立てられ、パラペットの上には、その芯材に挿入される雄ねじの支軸ボルトがアンカープレートを介して立設され、その支軸ボルトを芯材中を通して手摺目板の中央から突出させその支軸ボルトの上端に頭部ナットを締め付けることにより、手摺体をアンカープレートに圧接させ固定したことを特徴としている。
【発明の効果】
【００１１】
以上説明したように、この発明によれば、パラペットに立設される支軸ボルトにより直接縦部材が支持される関係で、手摺支柱や横桟が不要となることから、手摺目板と下部笠木との間に縦部材だけが整然と配列する斬新なデザインをとることができ、また、全体的に均一に外力に抗する構造となり、また、その支軸ボルトの位置調整が容易であるため、手摺体の据付け作業を支障無く行いうるという優れた効果がある。
【発明を実施するための最良の形態】
【００１２】
次に、この発明の実施形態を図面に基づいて説明する。
【００１３】
図１ないし図４は、一実施の形態を示したもので、パラペットＰの上に手摺体Ｕを据え付けるために、多数本の支軸ボルト１，１，・・が等間おきに立設され、各支軸ボルト１がパラペットＰ上のアンカープレート３により位置調整可能に支持される。なお、図１は、バルコニーのコーナー部を示し、パラペットＰが直角に交差する箇所において両方の手摺体Ｕ，Ｕが据え付けられる。
【００１４】
手摺体Ｕは、パラペットＰに被着される下部笠木５と、上部笠木７が被着される手摺目板６との間に多数の幅広いルーバー形ないし羽板形の縦部材９，９，・・が挟まれて組み立てられ、その縦部材９，９，・・のうちの一部、図示の場合であると、一つおきの縦部材９に支軸ボルト１が挿入される芯材１１を組み込んである。
【００１５】
アンカープレート３は、アルミ押出形材を短片に切断したもので、座板１２の上に一対の中空部片１４，１４を突設してその間に蟻溝１３が設けられ、両側端にＬ字型の掛止片１５，１５が立設される。この掛止片１５においてパラペットＰにねじ１６で固定する止め孔１８，１８が設けられる。また、蟻溝１３には掛止ナット２３が内装される。これは単独でも良いが、蟻溝１３から抜けたり回転しない機能を確実にするために、逆Ｕ字型の保持金具２４に内装され、それには支軸ボルト１の通し孔２６設けられる。
【００１６】
支軸ボルト１の立設要領については、まず、パラペットＰの所定箇所毎にアンカープレート３を四隅でねじ１６により固定する。それから、支軸ボルト１の下端部に保持金具２４の下において掛止ナット２３を螺着し、それを保持金具２４とともに蟻溝１３に挿入すると、蟻溝１３から支軸ボルト１が突出しているので、それを回転して蟻溝１３の底部に下端を押圧することによりナット２３を締めつけると、保持金具２４を介してナット２３が蟻溝１３の開口縁に圧接して固定されるので、支軸ボルト１の起立状態が主に掛止ナット２３の固定により保持される。この支軸ボルト１の位置がずれていると分かったときには、一旦掛止ナット２３を緩めて調整する。
【００１７】
各縦部材９は、幅広い板状の中空体であって、幅中央の両側内面に左右一対の突条２５，２５が突設され、左右両端の内面にはビスポケット２７，２７が突設される。上記左右一対の突条２５、２５によって形成されるポケットは、角形中空の芯材１１が丁度挿入され保持される形状のポケットを形成している。また、各縦部材９の上下両端面には、小口シール２９，２９が貼着され、それには、支軸ボルト１が通り得る中央孔３１と、ビスポケット２７，２７に螺入するビス３１，３１の通し孔３３，３３とが開けられている。
【００１８】
また、下部笠木５と上部笠木７の手摺目板６とには、支軸ボルト１，１，・・の貫通孔３６，３６，・・の他に、ビス３１，３１，・・の通し孔３４，３４，・・が穿設されているので、手摺体Ｕを組み立てるときには、通し孔３４，３４，・・からビス３１，３１，・・を各縦部材９，９，・・に螺入する。そうすると、小口シール２９，２９が、上下両端において上部笠木７の手摺目板６と下部笠木５とに密着し、これによって、縦部材９に雨水が浸入する不都合が防止さる。また、芯材１１が内装されている縦部材９については、組立て時においてそれが脱出しないよう保持する役目を小口シール２９，２９が果たすことになる。
【００１９】
手摺体Ｕは原則として工場において組み立てられ現場に搬入されて据え付けられる。この作業手順は、既に立設されている各支軸ボルト１，１，・・に芯材１１を挿嵌する。即ち、芯材１１の中を支軸ボルト１１が通される。そうすると、上部笠木７の手摺目板６の上に支軸ボルト１，１，・・の上端が頭出しするので、それに頭部ナット２４が螺入され、このナットの締めつけにより、下部笠木５と上部笠木７との間が多数の縦部材９，９，・・を挟んで圧縮され、しかも、芯材１１にその力が及ぶことから強力な締め付けが可能となるために、各縦部材９，９，・・の起立状態を強固に確定できる。
【００２０】
この点について加えると、頭部ナット２４の締め付けが芯材１１で受けられるので、上記実施形態のような幅広い板状の中空縦部材９であると、中央部の変形（開き）が防止される。つまり、仮に、縦部材９を用いないで、突条２５，２５，２５，２５の囲みの中に支軸ボルト１を通す形態であると、ナット締めで縦部材９が変形する。
【００２１】
図５は、中空縦部材９と中空芯材１１に関し、別の実施例組合せを示した平面説明図である。幅広い板状中空体の縦部材９（二点鎖線で示す）は、内側がアルミ、外側は木調樹脂という二重層で形成されていても良い。芯材１１は、アルミ押出成形からなる中空円筒形を基本形状とし、相対する外側面には、幅広型の浅い凹溝部４１，４１が形成されるように、外側面より横長に相対向して突出した一対の突条４３，４３，４３、４３がそれぞれ突設されている。
【００２２】
一方、縦部材９の中央の両内面には、芯材１１の上記凹溝部４１，４１に嵌合する低い凸条部４５、４５が形成され、両方４１，４５を嵌合させるように芯材１１を縦部材９に挿入することによって、両者９，１１は不動に結合される。
【００２３】
図６は、さらに別の実施例組合せを示した同じく平面説明図である。この場合、中空縦部材９（破線で示す）は、中空芯材１１より一周り大きい同形状に形成され、両者９，１１を嵌合させることにより、縦部材９の全内面が芯材１１の全外側面を丁度接合して覆う形で嵌合され結合される。
【図面の簡単な説明】
【００２４】
【図１】この発明の一実施形態による手摺の取付構造を示す分解斜視図である。
【図２】同手摺の取付構造に使用するアンカープレートと支軸ボルトを示す斜視図である。
【図３】同手摺の取付構造に使用する縦部材と芯材を示す一部破断した斜視図である。
【図４】同手摺の取付け状態を示す断面図である。
【図５】縦部材と芯材の組合せに関し、別の実施例を示した平面説明図である。
【図６】縦部材と芯材の組合せに関し、さらに別の実施例を示した平面説明図である。
【符号の説明】
【００２５】
Ｐ  パラペット
Ｕ  手摺体
１  支軸ボルト
３  アンカープレート
５  下部笠木
６  手摺目板
７  上部笠木
９  縦部材
１１  芯材
１３  蟻溝
２３  掛止ナット
２４  頭部ナット
２５  突条
２９  小口シール
【図１】
2006214182.tif 000003
【図２】
2006214182.tif 000004
【図３】
2006214182.tif 000005
【図４】
2006214182.tif 000006
【図５】
2006214182.tif 000007
【図６】
2006214182.tif 000008